【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
アクセスポイント（ＡＰ）近傍の情報を提供するための方法であって、ここにおいて、前記近傍の情報は、前記ＡＰの前記カバレージエリアに対するグリッドポイントにおけるＡＰに対する信号値に対応し、前記ＡＰに対する各グリッドポイントに対する位置を示し、前記方法は、
ＡＰのカバレージエリアに対するグリッドポイントのセットに対する近傍の情報の第１のセットを決定することと、
ＡＰ近傍の情報の第２のセットを生成するために、隣接するグリッドポイントに対するＡＰ近傍の情報値の間の差に少なくとも基づいてＡＰ近傍の情報の前記第１のセットを符号化することと、
ＡＰ近傍の情報の前記第２のセットをモバイルデバイスに提供することとを備える、方法。
【請求項２】
ＡＰ近傍の情報の前記第１のセットを符号化することが、
隣接するグリッドポイントに対するＡＰ近傍の情報値の間の差を備える複数の差分値を決定することと、
ＡＰ近傍の情報の前記第２のセットを生成するために前記複数の差分値の少なくとも一部を圧縮することとを備える、請求項１に記載の方法。
【請求項３】
前記複数の差分値が、２つ以上の差分範囲に基づいて圧縮される、請求項２に記載の方法。
【請求項４】
前記２つ以上の差分範囲が、低範囲と、中範囲と、高範囲とを備える、請求項３に記載の方法。
【請求項５】
隣接するグリッドポイントに対する前記複数の差分値の間の差を備える複数の二重差分値を決定することをさらに備え、ＡＰ近傍の情報の前記第２のセットが、前記複数の二重差分値の少なくとも一部を圧縮することによって生成される、請求項２に記載の方法。
【請求項６】
ＡＰ近傍の情報の前記第１のセットが、複数のロケーションにおける前記ＡＰの平均受信信号強度を備える、または、グリッドポイントの前記セット内の各グリッドポイントと前記ＡＰとの間の信号伝搬の平均往復時間を備える、請求項１に記載の方法。
【請求項７】
ＡＰ近傍の情報の前記第２のセットが、一連の圧縮値を備える、請求項１に記載の方法。
【請求項８】
アクセスポイント（ＡＰ）近傍の情報を利用するための方法であって、ここにおいて、前記近傍の情報は、前記ＡＰの前記カバレージエリアに対するグリッドポイントにおけるＡＰに対する信号値に対応し、前記ＡＰに対する各グリッドポイントに対する位置を示し、前記方法は、
ＡＰ近傍の情報の第１のセットをモバイルデバイスによって受信することと、ここにおいて、ＡＰ近傍の情報の前記第１のセットは、ＡＰのカバレージエリアに対するグリッドポイントのセット内の隣接するグリッドポイントに対するＡＰ近傍の情報値の間の差に少なくとも基づいて符号化および圧縮される、
ＡＰ近傍の情報の第２のセットを生成するために、ＡＰ近傍の情報の前記第１のセットを解凍することと、
受信信号に対応する情報とＡＰ近傍の情報の前記第２のセットとを使用して前記モバイルデバイスのロケーションを決定することとを備える、方法。
【請求項９】
ＡＰ近傍の情報の前記第１のセットが、グリッドポイントの前記セット内の隣接するグリッドポイントにおける受信信号強度値の間の差に対応する、または前記ＡＰとグリッドポイントの前記セット内の前記隣接するグリッドポイントの各々との間の信号伝搬の往復時間の差に対応する、請求項８に記載の方法。
【請求項１０】
アクセスポイント（ＡＰ）近傍の情報を提供するための装置であって、ここにおいて、前記近傍の情報は、前記ＡＰの前記カバレージエリアに対するグリッドポイントにおけるＡＰに対する信号値に対応し、前記ＡＰに対する各グリッドポイントに対する位置を示し、前記装置は、
ＡＰのカバレージエリアに対するグリッドポイントのセットに対する近傍の情報の第１のセットを決定するための手段と、
ＡＰ近傍の情報の第２のセットを生成するために、隣接するグリッドポイントに対するＡＰ近傍の情報値の間の差に少なくとも基づいてＡＰ近傍の情報の前記第１のセットを符号化するための手段と、
ＡＰ近傍の情報の前記第２のセットをモバイルデバイスに提供するための手段とを備える、装置。
【請求項１１】
ＡＰ近傍の情報の前記第１のセットを符号化するための前記手段が、
隣接するグリッドポイントに対するＡＰ近傍の情報値の間の差を備える複数の差分値を決定するための手段と、
ＡＰ近傍の情報の前記第２のセットを生成するために前記複数の差分値の少なくとも一部を圧縮するための手段とを備える、請求項１０に記載の装置。
【請求項１２】
前記複数の差分値が、２つ以上の差分範囲に基づいて圧縮される、請求項１１に記載の装置。
【請求項１３】
前記２つ以上の差分範囲が、低範囲と、中範囲と、高範囲とを備える、請求項１２に記載の装置。
【請求項１４】
アクセスポイント（ＡＰ）近傍の情報を利用するための装置であって、ここにおいて、前記近傍の情報は、前記ＡＰの前記カバレージエリアに対するグリッドポイントにおけるＡＰに対する信号値に対応し、前記ＡＰに対する各グリッドポイントに対する位置を示し、前記装置は、
ＡＰ近傍の情報の第１のセットをモバイルデバイスによって受信するための手段と、ここにおいて、ＡＰ近傍の情報の前記第１のセットは、ＡＰのカバレージエリアに対するグリッドポイントのセット内の隣接するグリッドポイントに対するＡＰ近傍の情報値の間の差に少なくとも基づいて符号化および圧縮される、
ＡＰ近傍の情報の第２のセットを生成するために、ＡＰ近傍の情報の前記第１のセットを解凍するための手段と、
受信信号に対応する情報とＡＰ近傍の情報の前記第２のセットとを使用して前記モバイルデバイスのロケーションを決定するための手段とを備える、装置。
【請求項１５】
プロセッサ可読命令を備える、アクセスポイント（ＡＰ）近傍の情報を提供するための非一時的プロセッサ可読媒体であって、前記プロセッサ可読命令が、プロセッサに、アクセスポイント（ＡＰ）近傍の情報を提供するために請求項１から７のうちのいずれかのステップを実行させるように構成され、または、プロセッサに、アクセスポイント（ＡＰ）近傍の情報を利用するために請求項８から９のうちのいずれかのステップを実行させるように構成される、プロセッサ可読媒体。
【手続補正２】
【補正対象書類名】明細書
【補正対象項目名】００７４
【補正方法】変更
【補正の内容】
【００７４】
[0085]いくつかの実施形態を説明したので、様々な変更、代替構成、および等価物が、本開示の趣旨から逸脱することなく使用され得ることは、当業者には明らかとなろう。
以下に本願の出願当初の特許請求の範囲に記載された発明を付記する。
［Ｃ１］
アクセスポイント（ＡＰ）近傍の情報を提供するための方法であって、
ＡＰのカバレージエリアに対するグリッドポイントのセットに対する近傍の情報の第１のセットを決定することと、
ＡＰ近傍の情報の第２のセットを生成するために、隣接するグリッドポイントに対するＡＰ近傍の情報値の間の差に少なくとも基づいてＡＰ近傍の情報の前記第１のセットを符号化することと、
ＡＰ近傍の情報の前記第２のセットをモバイルデバイスに提供することとを備える、方法。
［Ｃ２］
ＡＰ近傍の情報の前記第１のセットを符号化することが、
隣接するグリッドポイントに対するＡＰ近傍の情報値の間の差を備える複数の差分値を決定することと、
ＡＰ近傍の情報の前記第２のセットを生成するために前記複数の差分値の少なくとも一部を圧縮することとを備える、Ｃ１に記載の方法。
［Ｃ３］
前記複数の差分値が、２つ以上の差分範囲に基づいて圧縮される、Ｃ２に記載の方法。
［Ｃ４］
前記２つ以上の差分範囲が、低範囲と、中範囲と、高範囲とを備える、Ｃ３に記載の方法。
［Ｃ５］
隣接するグリッドポイントに対する前記複数の差分値の間の差を備える複数の二重差分値を決定することをさらに備え、ＡＰ近傍の情報の前記第２のセットが、前記複数の二重差分値の少なくとも一部を圧縮することによって生成される、Ｃ２に記載の方法。
［Ｃ６］
ＡＰ近傍の情報の前記第１のセットが、複数のロケーションにおける前記ＡＰの平均受信信号強度を備える、Ｃ１に記載の方法。
［Ｃ７］
ＡＰ近傍の情報の前記第１のセットが、グリッドポイントの前記セット内の各グリッドポイントと前記ＡＰとの間の信号伝搬の平均往復時間を備える、Ｃ１に記載の方法。
［Ｃ８］
ＡＰ近傍の情報の前記第２のセットが、一連の圧縮値を備える、Ｃ１に記載の方法。
［Ｃ９］
アクセスポイント（ＡＰ）近傍の情報を利用するための方法であって、
ＡＰ近傍の情報の第１のセットをモバイルデバイスによって受信することと、ここにおいて、ＡＰ近傍の情報の前記第１のセットは、ＡＰのカバレージエリアに対するグリッドポイントのセット内の隣接するグリッドポイントに対するＡＰ近傍の情報値の間の差に少なくとも基づいて符号化および圧縮される、
ＡＰ近傍の情報の第２のセットを生成するために、ＡＰ近傍の情報の前記第１のセットを解凍することと、
受信信号に対応する情報とＡＰ近傍の情報の前記第２のセットとを使用して前記モバイルデバイスのロケーションを決定することとを備える、方法。
［Ｃ１０］
ＡＰ近傍の情報の前記第１のセットが、グリッドポイントの前記セット内の隣接するグリッドポイントにおける受信信号強度値の間の差に対応する、Ｃ９に記載の方法。
［Ｃ１１］
ＡＰ近傍の情報の前記第１のセットが、前記ＡＰとグリッドポイントの前記セット内の前記隣接するグリッドポイントの各々との間の信号伝搬の往復時間の差に対応する、Ｃ９に記載の方法。
［Ｃ１２］
アクセスポイント（ＡＰ）近傍の情報を提供するための装置であって、
ＡＰのカバレージエリアに対するグリッドポイントのセットに対する近傍の情報の第１のセットを決定するための手段と、
ＡＰ近傍の情報の第２のセットを生成するために、隣接するグリッドポイントに対するＡＰ近傍の情報値の間の差に少なくとも基づいてＡＰ近傍の情報の前記第１のセットを符号化するための手段と、
ＡＰ近傍の情報の前記第２のセットをモバイルデバイスに提供するための手段とを備える、装置。
［Ｃ１３］
ＡＰ近傍の情報の前記第１のセットを符号化するための前記手段が、
隣接するグリッドポイントに対するＡＰ近傍の情報値の間の差を備える複数の差分値を決定するための手段と、
ＡＰ近傍の情報の前記第２のセットを生成するために前記複数の差分値の少なくとも一部を圧縮するための手段とを備える、Ｃ１２に記載の装置。
［Ｃ１４］
前記複数の差分値が、２つ以上の差分範囲に基づいて圧縮される、Ｃ１３に記載の装置。
［Ｃ１５］
前記２つ以上の差分範囲が、低範囲と、中範囲と、高範囲とを備える、Ｃ１４に記載の装置。
［Ｃ１６］
隣接するグリッドポイントに対する前記複数の差分値の間の差を備える複数の二重差分値を決定するための手段をさらに備え、ＡＰ近傍の情報の前記第２のセットが、前記複数の二重差分値の少なくとも一部を圧縮することによって生成される、Ｃ１３に記載の装置。
［Ｃ１７］
ＡＰ近傍の情報の前記第１のセットが、複数のロケーションにおける前記ＡＰの平均受信信号強度を備える、Ｃ１２に記載の装置。
［Ｃ１８］
ＡＰ近傍の情報の前記第１のセットが、グリッドポイントの前記セット内の各グリッドポイントと前記ＡＰとの間の信号伝搬の平均往復時間を備える、Ｃ１２に記載の装置。
［Ｃ１９］
ＡＰ近傍の情報の前記第２のセットが、一連の圧縮値を備える、Ｃ１２に記載の装置。
［Ｃ２０］
プロセッサ可読命令を備える、アクセスポイント（ＡＰ）近傍の情報を提供するための非一時的プロセッサ可読媒体であって、前記プロセッサ可読命令が、
ＡＰのカバレージエリアに対するグリッドポイントのセットに対する近傍の情報の第１のセットを決定することと、
ＡＰ近傍の情報の第２のセットを生成するために、隣接するグリッドポイントに対するＡＰ近傍の情報値の間の差に少なくとも基づいてＡＰ近傍の情報の前記第１のセットを符号化することと、
ＡＰ近傍の情報の前記第２のセットをモバイルデバイスに提供することとをプロセッサに行わせるように構成される、プロセッサ可読媒体。
［Ｃ２１］
前記命令が、
隣接するグリッドポイントに対するＡＰ近傍の情報値の間の差を備える複数の差分値を決定することと、
ＡＰ近傍の情報の前記第２のセットを生成するために前記複数の差分値の少なくとも一部を圧縮することとを前記プロセッサに行わせるようにさらに構成される、Ｃ２０に記載のプロセッサ可読媒体。
［Ｃ２２］
前記複数の差分値が、２つ以上の差分範囲に基づいて圧縮される、Ｃ２１に記載のプロセッサ可読媒体。
［Ｃ２３］
前記２つ以上の差分範囲が、低範囲と、中範囲と、高範囲とを備える、Ｃ２２に記載のプロセッサ可読媒体。
［Ｃ２４］
前記命令が、
隣接するグリッドポイントに対する前記複数の差分値の間の差を備える複数の二重差分値を前記プロセッサに決定させるようにさらに構成され、ＡＰ近傍の情報の前記第２のセットが、前記複数の二重差分値の少なくとも一部を圧縮することによって生成される、Ｃ２１に記載のプロセッサ可読媒体。
［Ｃ２５］
ＡＰ近傍の情報の前記第１のセットが、複数のロケーションにおける前記ＡＰの平均受信信号強度を備える、Ｃ２０に記載のプロセッサ可読媒体。
［Ｃ２６］
ＡＰ近傍の情報の前記第１のセットが、グリッドポイントの前記セット内の各グリッドポイントと前記ＡＰとの間の信号伝搬の平均往復時間を備える、Ｃ２０に記載のプロセッサ可読媒体。
［Ｃ２７］
ＡＰ近傍の情報の前記第２のセットが、一連の圧縮値を備える、Ｃ２０に記載のプロセッサ可読媒体。